(57)【要約】端末装置と無線通信を行う無線基地局装置において、前記無線基地局装置が第１の送信期間よりも送信期間が短い第２の送信期間で参照信号を間欠送信するとき、前記端末装置において自局宛ての着信を確認する第１のタイミングと前記参照信号を送信する第２のタイミングとを重複させる制御部と、前記第２のタイミングと重複する前記第１のタイミングを前記端末装置に送信する送信部とを備える。
2012101754.tif 000002
【特許請求の範囲】
【請求項１】
端末装置と無線通信を行う無線基地局装置において、
前記無線基地局装置が第１の送信期間よりも送信期間が短い第２の送信期間で参照信号を間欠送信するとき、前記端末装置において自局宛ての着信を確認する第１のタイミングと前記参照信号を送信する第２のタイミングとを重複させる制御部と、
前記第２のタイミングと重複する前記第１のタイミングを前記端末装置に送信する送信部と、
を備えることを特徴とする無線基地局装置。  
【請求項２】
前記制御部は、前記端末装置において第１の周期で間欠受信又は間欠送信が行われるとき、前記第１の周期のアクティブ期間内において、前記第２のタイミングと重複する前記第１のタイミングが含まれるように、前記第１の周期と前記アクティブ期間を決定し、
前記送信部は、前記決定した第１の周期とアクティブ期間とを前記端末装置に送信することを特徴とする請求項１記載の無線基地局装置。
【請求項３】
前記制御部は、前記第１のタイミングを決定し、前記決定した第１のタイミングと重複するように前記第２のタイミングを決定することで前記第１のタイミングと前記第２のタイミングとを重複させることを特徴とする請求項１記載の無線基地局装置。
【請求項４】
前記制御部は、前記参照信号を間欠送信するセルに在圏する全ての前記端末装置に対して、共通のタイミングで前記参照信号を送信するように前記第１のタイミングを決定することを特徴とする請求項３記載の無線基地局装置。
【請求項５】
前記制御部は、前記端末装置毎に異なる値に代えて固有値を用いて前記第１のタイミングを計算して、前記第１のタイミングを決定することを特徴とする請求項３記載の無線基地局装置。
【請求項６】
前記送信部は、前記参照信号を間欠送信するとき、前記第２のタイミングで前記参照信号を送信することを特徴とする請求項１記載の無線基地局装置。
【請求項７】
前記制御部は、前記端末装置との間で送信及び受信する信号のトラフィック量に基づいて、前記参照信号の間欠送信サイクルを決定することを特徴とする請求項１記載の無線基地局装置。
【請求項８】
前記制御部は、前記参照信号の間欠送信を行うとき、当該間欠送信を行うセルと間欠送信サイクルとを決定し、
前記送信部は、前記間欠送信を行うセルのセルＩＤと前記間欠送信サイクルとを、前記端末装置又は他の無線基地局装置に送信することを特徴とする請求項１記載の無線基地局装置。
【請求項９】
端末装置と無線基地局装置とを備え、
前記端末装置と前記無線基地局装置との間で無線通信が行われる無線通信システムにおいて、
前記無線基地局装置は、
前記無線基地局装置が第１の送信期間よりも送信期間が短い第２の送信期間で参照信号を間欠送信するとき、前記端末装置において自局宛ての着信を確認する第１のタイミングと前記参照信号を送信する第２のタイミングとを重複させる制御部と、
前記第２のタイミングと重複する前記第１のタイミングを前記端末装置に送信する送信部とを備え、
前記端末装置は、
前記無線基地局装置から送信された第１のタイミングを受信する受信部と、
受信した前記第１のタイミングで、間欠送信される前記参照信号を受信するよう前記受信部に指示する着信モニタ部とを備えることを特徴とする無線通信システム。
【請求項１０】
端末装置と無線通信を行う無線基地局装置における無線通信方法であって、
前記無線基地局装置が第１の送信期間よりも送信期間が短い第２の送信期間で参照信号を間欠送信するとき、前記端末装置において自局宛ての着信を確認する第１のタイミングと前記参照信号を送信する第２のタイミングとを重複させ、
前記第２のタイミングと重複する前記第１のタイミングを前記端末装置に送信する、
ことを特徴とする無線通信方法。
【請求項１１】
無線基地局装置と無線通信を行う端末装置において、
前記無線基地局装置が第１の送信期間よりも送信期間が短い第２の送信期間で参照信号を間欠送信するとき、前記参照信号を送信する第２のタイミングと重複する、自局宛ての着信を確認する第１のタイミングを受信する受信部と、
前記受信した第１のタイミングで、間欠送信される前記参照信号を受信するよう前記受信部に指示する着信モニタ部と、
を備えることを特徴とする端末装置。
【発明の詳細な説明】
【技術分野】
【０００１】
本発明は、無線基地局装置、無線通信システム、無線基地局装置における無線通信方法、及び端末装置に関する。
【背景技術】
【０００２】
現在、携帯電話システムや無線ＭＡＮ（Metropolitan  Area  Network）などの無線通信システムが広く利用されている。また、無線通信の分野では、通信速度や通信容量を更に向上させるべく、次世代の通信技術について継続的な議論が行われている。例えば、標準化団体の１つである３ＧＰＰ（3rd  Generation  Partnership  Project）では、ＬＴＥ（Long  Term  Evolution）と呼ばれる無線通信システムや、ＬＴＥを発展させたＬＴＥ‐Ａ（Long  Term  Evolution  -  Advanced）と呼ばれる無線通信システムが提案されている。【０００３】
このような無線通信システムにおいて、無線基地局装置（以下、「基地局」）は端末装置（以下、「端末」）に対して参照信号（Reference  Signal）を送信している。端末は、参照信号を用いて同期検波やセルサーチを行ったり、更に無線伝搬路状態を測定することができる。端末は、例えば同期検波を行うことで、基地局と同期してデータを送信又は受信することができ、これにより効率的な無線通信を行うことができる。【０００４】
参照信号は無線リソースを用いて送信される。基地局は、この無線リソースを管理しており、ある無線リソースを用いて参照信号を送信している。図１３（Ａ）は５ＭＨｚ帯域における無線フレームの構成例、図１３（Ｂ）は同じく５ＭＨｚ帯域におけるリソースブロックの構成例を夫々示す図である。【０００５】
無線フレームの最小単位は、時間軸方向（図１３（Ａ）及び図１３（Ｂ）では横軸方向）ではＯＦＤＭ（Orthogonal  Frequency  Division  Multiplexing）シンボル、周波数軸方向（図１３（Ａ）及び図１３（Ｂ）では縦軸方向）ではサブキャリアである。時間軸方向において、例えば、１スロット（0.5msec）は７個のＯＦＤＭシンボルを含み、１サブフレーム（1msec）は２個のスロットを含む。また、周波数軸方向において、例えば、１リソースブロックは１２個のサブキャリアを含み、無線帯域が５ＭＨｚ帯の場合、２５個のリソースブロックを含む。なお、１リソースブロックは、例えば、１２個のサブキャリア、１４個のＯＦＤＭシンボルを含む。【０００６】
図１３（Ａ）及び図１３（Ｂ）において黒ブロックで示されるブロックは参照信号の送信に利用される無線リソースの例を示す。参照信号は、例えば図１３（Ａ）に示すようにスロット番号が割り振られたとき、「０」，「２」，「４」など、偶数スロットを用いて送信される。端末は、例えば、基地局から送信された無線リソースの割り当て情報（スケジューリング情報）に基づいて、参照信号を受信することができる。【０００７】
図１４（Ａ）と図１４（Ｃ）は基地局と端末との接続例、図１４（Ｂ）と図１４（Ｄ）は参照信号に対する無線リソースの割り当て例を夫々示す図である。基地局（eNB:  evolutional  Node  B）１００は、自局のセル内に存在する複数の端末（UE:  User  Equipment）２００‐１〜２００‐３と無線接続し、並列に参照信号を送信できる。【０００８】
しかし、基地局１００のセル内に端末２００‐１〜２００‐３が存在しない場合など（例えば、図１４（Ｃ））、基地局１００が参照信号を送信しても参照信号は使用されない場合もある。このような場合、参照信号を送信するために利用された無線リソースが無駄になり、さらに、基地局１００の消費電力も無駄に使用される。【０００９】
そこで、基地局１００は参照信号を間欠送信により送信する。参照信号の間欠送信では、例えば、送信に使用されるスロット（例えば偶数スロット）が１又は複数スロット分間引かれ、残りのスロットを用いて参照信号が送信される。図１４（Ｄ）の例では、基地局１００は、スロット番号「２」，「４」，「６」のスロットを間引いて、スロット番号「０」，「８」，…のスロットを用いて参照信号を送信する。参照信号の間欠送信により、参照信号が送信されないタイミングがあるため、基地局１００は消費電力を削減できる。【００１０】
一方、端末２００においては、ＤＲＸ（Discontinuous  Reception：間欠受信）／ＤＴＸ（Discontinuous  Transmission：間欠送信）モードと呼ばれる状態にて動作することができる。図１５（Ａ）〜図１５（Ｃ）は、ＤＲＸ／ＤＴＸモードの場合における各信号の送信又は受信タイミング例を夫々示す図である。ＤＲＸ／ＤＴＸモードのとき、端末２００は、Ｏｎ  Ｄｕｒａｔｉｏｎ（又はアクティブ期間、あるいはＡｃｔｉｖｅ  Ｔｉｍｅ中）においてアクティブとなる。そして、端末２００は、Ｏｎ  Ｄｕｒａｔｉｏｎの期間内に少なくとも１回訪れるページングオケージョンにおいて自局宛ての着信を監視（モニタリング）する。すなわち、端末２００は、ページングオケージョンにおいて、ＰＤＣＣＨ（Physical  Downlink  Control  Channel）をモニタし、ＰＣＨ（Paging  Channel）で送信されるＰ‐ＲＮＴＩ（Paging-Radio  Network  Temporary  Identifier）を受信する。そして、端末２００は、受信したＰ‐ＲＮＴＩが自局宛てのＰ‐ＲＮＴＩのとき、ページングメッセージを受信するなどして、自局宛ての着信を監視する。ＤＲＸ／ＤＴＸモードの端末２００は、ページングオケージョン以外の期間は監視を行わなくてもよいため、全期間モニタリングする場合と比較して消費電力を削減することができる。【００１１】
なお、ページングオケージョンとは、例えば、自局宛ての着信があるか否かを端末２００が確認する期間のことである。このページングオケージョンのタイミングと、ＤＲＸサイクル、及びＯｎ  Ｄｕｒａｔｉｏｎは、例えば基地局１００が計算し端末２００に送信する。これにより、端末２００は各タイミングにおいて着信を確認することができる。ページングオケージョンは、例えば、１サブフレーム期間となっている。以下、ページングオケージョンの計算例について説明する。【００１２】
基地局１００は、以下の式を用いてページングオケージョンのタイミングを計算する。【００１３】
PF=SFN  mod  T=(T  div  N)*(UE_ID  mod  N)  ・・・（１）
i_s＝floor(UE_ID/N)  mod  Ns  ・・・（２）
ここで、ＰＦ（Paging  Frame）とは、ページングオケージョンが行われる無線フレームのことである。無線フレームには、ページングオケージョンが行われる無線フレームと行われない無線フレームがあり、ここでは前者をページングフレームと称している。例えば、基地局１００は、式（１）によりページングフレームのフレーム番号を計算する。また、基地局１００は、式（２）を計算して得られたi_sに対応するサブフレーム番号をテーブルから抽出することで、ページングフレーム内においてページングオケージョンが行われるサブフレーム番号を得る。この場合、基地局１００は、計算したページングフレームのフレーム番号と、ページングフレーム内におけるサブフレーム番号とを端末２００に通知できる。なお、式（１）において、「ＳＦＮ」はサブフレーム番号、「Ｔ」はＤＲＸ又はＤＴＸのサイクル期間、「Ｎ」はｍｉｎ（Ｔ，ｎＢ）（ここで、ｎＢは、４Ｔ，２Ｔ，Ｔ，Ｔ／２，Ｔ／４，Ｔ／８，Ｔ／１６，Ｔ／３２）を夫々示す。また、「ＵＥ＿ＩＤ」は、「ＩＭＳＩ（International  Mobile  Subscriber）ｍｏｄ  １０２４」、「Ｎｓ」はｍａｘ（１，ｎＢ／Ｔ）を夫々示す。例えば、端末２００においても式（１）と式（２）の計算を行って、ページングオケージョンのタイミングを演算することができる。なお、ＤＲＸサイクルとＯｎ  Ｄｕｒａｔｉｏｎの期間の計算は、例えば、以下の非特許文献を参照されたい。【００１４】
他方、基地局１００は、ページングオケージョンにおいてページングメッセージを送信することで、端末２００宛てに着信メッセージがあることを通知できる。【００１５】
端末２００は、ページングメッセージを受信することで自局宛ての着信を確認でき、以後、ページングメッセージに対する応答メッセージを基地局１００に送信するなどして基地局１００と呼接続し、着信メッセージを受信できる。【００１６】
なお、ＤＲＸ／ＤＴＸモードが適応されない端末２００でも、ページングオケージョンにおいて、自局宛ての着信を確認できる。この場合の端末２００は、例えば、一定のサブフレーム周期で到来するページングオケージョンにおいて自局宛ての着信を確認できる。【００１７】
ここで、ページングケージョンのタイミングは、式（１）及び式（２）に示すように、端末２００毎に固有のＩＭＳＩに基づいて定まる。従って、ページングオケージョンは、端末２００毎に異なるタイミングとなる。よって、基地局１００配下に複数の端末２００‐１〜２００‐３が在圏する場合、各端末２００‐１〜２００‐３はそれぞれ異なるタイミングのページングオケージョンを有することになる。【００１８】
なお、ＤＲＸ／ＤＴＸモードは、端末２００がアイドルモードのときのみならず、アクティブモードのときにも適用されてもよい。アクティブモード中にＤＲＸ／ＤＴＸモードが適用されることで、端末２００は、Ａｃｔｉｖｅ  Ｔｉｍｅ中だけページングメッセージをモニターすればよいことになる。【００１９】
ＤＲＸ／ＤＴＸモードに関する技術として以下のようなものがある。例えば、ＤＲＸ／ＤＴＸ間隔を短く設定し、基地局はＤＲＸ／ＤＴＸ間隔を考慮してハンドオーバ指示をアクティブ間隔において送信することで、ハンドオーバをいち早く完了するようにしたものがある。
【先行技術文献】
【非特許文献】
【００２０】
【非特許文献１】3GPP  TS36.304  V8.9.0  (2010-03)
【特許文献】
【００２１】
【特許文献１】国際公開番号  ＷＯ２００８／００１７２６  Ａ１
【発明の概要】
【発明が解決しようとする課題】
【００２２】
しかし、端末がＤＲＸ／ＤＴＸモードであっても、基地局が参照信号を間欠送信している場合、端末はページングオケージョンにおいて自局宛ての着信を確認できない場合がある。【００２３】
ページングオケージョンのタイミングは、上述したように、端末毎に異なるタイミングとなる。よって、基地局が参照信号を間欠送信しているとき、端末はページングオケージョンにおいて参照信号を受信できない場合もある。とくに、ＤＲＸ／ＤＴＸモードの端末は、Ｏｎ  Ｄｕｒａｔｉｏｎの期間でアクティブとなるため、ＤＲＸ／ＤＴＸモードでない端末と比較して、ページングオケージョンが適用される機会が少なく、参照信号を受信できない可能性が高くなる。【００２４】
図１６（Ａ）〜図１７（Ｆ）は端末の受信タイミングの例を夫々示す図である。例えば、図１６（Ａ）及び図１６（Ｂ）、図１７（Ｄ）〜図１７（Ｆ）に示すように、ページングオケージョンのタイミングと参照信号の間欠タイミングとが重なって、端末は参照信号を受信できない場合もある。さらに、図１７（Ａ）〜図１７（Ｃ）に示すように、Ｏｎ  Ｄｕｒａｔｉｏｎ全体に亘り、参照信号の間欠タイミングと重なり、端末は参照信号を受信できない場合もある。【００２５】
端末は、参照信号を受信できないとき、基地局と同期することができず、端末あてにページングメッセージがあったとしても、ページングオケージョンのタイミングで当該メッセージを受信できない場合もある。端末は、ページングメッセージを受信できないと自局宛ての着信を確認できず、従って、自局宛ての着信メッセージを受信することができなくなる。【００２６】
また、上述したように、ＤＲＸ／ＤＴＸモードが適用されない端末に対しても、ページングオケージョンの機会が存在する。しかし、基地局が参照信号の間欠送信を行っているとき、ＤＲＸ／ＤＴＸモードの場合と同様に、ページングオケージョンのタイミングによっては、端末は参照信号を受信できず、自局宛ての着信を確認できない場合もある。  【００２７】
さらに、上述したＤＲＸ／ＤＴＸ間隔を短く設定してハンドオーバをいち早く完了する技術について、ＤＲＸ／ＤＴＸ間隔を短く設定したとしても、参照信号の間欠送信が行われているような場合では、タイミングによって、端末は参照信号を受信できない場合もある。【００２８】
そこで、本発明の一目的は、無線基地局装置が参照信号を間欠送信しているときでも、端末装置が自局宛ての着信を確認できるようにした無線基地局装置、無線通信システム、無線基地局装置における無線通信方法、及び端末装置を提供することにある。  
【課題を解決するための手段】
【００２９】
一態様によれば、端末装置と無線通信を行う無線基地局装置において、前記無線基地局装置が第１の送信期間よりも送信期間が短い第２の送信期間で参照信号を間欠送信するとき、前記端末装置において自局宛ての着信を確認する第１のタイミングと前記参照信号を送信する第２のタイミングとを重複させる制御部と、前記第２のタイミングと重複する前記第１のタイミングを前記端末装置に送信する送信部とを備える。
【発明の効果】
【００３０】
無線基地局装置が参照信号を間欠送信しているときでも、端末装置が着信を確認できるようにした無線基地局装置、無線通信システム、無線基地局装置における無線通信方法、及び端末装置を提供できる。
【図面の簡単な説明】
【００３１】
【図１】図１は無線通信システムの構成例を示す図である。
【図２】図２は無線通信システムの構成例を示す図である。
【図３】図３は無線基地局装置の構成例を示す図である。
【図４】図４は端末装置の構成例を示す図である。
【図５】図５は無線基地局装置における動作例を示すフローチャートである。
【図６】図６（Ａ）〜図６（Ｄ）は端末装置の受信タイミング例を示す図である。
【図７】図７（Ａ）〜図７（Ｃ）は端末装置の受信タイミング例を示す図である。
【図８】図８（Ａ）及び同図（Ｂ）はページングオケージョンの通知方法の例を示す図である。
【図９】図９は基地局間の動作例を示すシーケンス図である。
【図１０】図１０は端末装置における動作例を示すフローチャートである。
【図１１】図１１（Ａ）及び図１１（Ｂ）は参照信号の送信タイミングとページングオケージョンのタイミングの例を夫々示す図である。
【図１２】図１２（Ａ）〜図１２（Ｂ）は参照信号の送信タイミングとページングオケージョンのタイミングの例を夫々示す図である。
【図１３】図１３（Ａ）及び図１３（Ｂ）は無線フレームの構成例を示す図である。
【図１４】図１４（Ａ）及び同図（Ｃ）は無線基地局装置と端末装置の接続例、同図（Ｂ）及び同図（Ｄ）は参照信号の送信タイミングの例を夫々示す図である。
【図１５】図１５（Ａ）〜図１５（Ｃ）は、送信又は受信タイミングなどの例を夫々示す図である。
【図１６】図１６（Ａ）及び図１６（Ｂ）は参照信号の間欠送信サイクルとページングオケージョンのタイミング例を夫々示す図である。
【図１７】図１７（Ａ）〜図１７（Ｆ）は、送信又は受信タイミングなどの例を夫々示す図である。
【発明を実施するための形態】
【００３２】
以下、本実施の形態について図面を参照して詳細に説明する。
【００３３】
［第１の実施の形態］
図１は、第１の実施の形態における無線通信システムの構成例を示す図である。無線通信システム１は、無線基地局装置１０と端末装置５０とを備える。
【００３４】
無線基地局装置１０は制御部１１０と送信部１２０とを備える。また、端末装置５０は受信部５１０と着信モニタ部５２０とを備える。
【００３５】
制御部１１０は、無線基地局装置１０が第１の送信期間よりも短い第２の送信期間で参照信号を間欠送信するとき、端末装置５０において自局宛ての着信を確認する第１のタイミングと、参照信号を送信する第２のタイミングとを重複させるようにする。
【００３６】
送信部１２０は、第２のタイミングと重複する第１のタイミングを制御部１１０から入力して、当該第１のタイミングを端末装置５０に送信する。
【００３７】
一方、端末装置５０の受信部５１０は、無線基地局装置１０から送信された第１のタイミングを受信する。
【００３８】
着信モニタ部５２０は、受信部５１０で受信した第１のタイミングで、無線基地局装置１０から間欠送信される参照信号を受信するよう指示を与える。
【００３９】
従って、無線基地局装置１０において参照信号が間欠送信されるときでも、第１のタイミングは参照信号が送信される第２のタイミングと重複しているため、端末装置５０は着信を確認する第１のタイミングにおいて参照信号を受信することができる。よって、端末装置５０は受信した参照信号に基づいて無線基地局装置１０と同期することができ、ページングメッセージを受信して、端末装置５０宛ての着信を確認することができる。
【００４０】
［第２の実施の形態］
次に第２の実施の形態について説明する。最初に全体構成例を説明し、次に基地局と端末の各構成例、最後に動作例について説明することにする。
【００４１】
＜全体構成例＞
図２は、第２の実施の形態における無線通信システムの構成例を示す図である。無線通信システム１は、無線基地局装置（eNB）（以下、「基地局」）１０と端末装置（UE）（以下、「端末」）５０‐１〜５０‐４とを備える。
【００４２】
基地局１０は、例えば、セル範囲内において複数の端末５０‐１〜５０‐４に対して、無線通信により種々のサービスを提供できる。基地局１０は複数の端末５０‐１〜５０‐４と並列に無線通信が可能である。一方、各端末５０‐１〜５０‐４は、基地局１０と接続して無線通信を行う。各端末５０‐１〜５０‐４は、例えば、携帯電話機や情報携帯端末などである。なお、図２に示す無線通信システム１は、複数の端末５０‐１〜５０‐４を示しているが、１つの端末５０でもよい。以下において、複数の端末５０‐１〜５０‐４の夫々についてはとくに断らない限り端末５０として説明することにする。
【００４３】
基地局１０と端末５０は、セル範囲内において、双方向に無線通信が可能である。すなわち、基地局１０は端末５０にデータ送信（下りリンク通信）を行い、端末５０は基地局１０にデータ送信（上りリンク通信）を行うことが可能である。基地局１０は、下りリンク通信および上りリンク通信についてスケジューリングを行い、無線リソースを割り当てることで無線通信を行う。スケジューリング情報は例えば制御信号として基地局１０から端末５０に適宜送信される。なお、ＬＴＥにおいては、下りリンク通信はＯＦＤＭＡ（Orthogonal  Frequency  Division  Multiple  Access:直交周波数分割多元接続）、上りリンク通信はＳＣ‐ＦＤＭＡ（Single  Carrier  Frequency  Division  Multiple  Access:シングルキャリア周波数分割多元接続）を用いてもよいこととなっている。
【００４４】
このような無線通信システム１において、基地局１０は参照信号の間欠送信を行うことができる。また、端末５０はアクティブモード、アイドルモード、又はＤＲＸ（間欠受信）／ＤＴＸ（間欠送信）モードとして動作することができる。
【００４５】
以下の実施の形態において、参照信号の間欠送信とは、例えば、前述したように、送信に使用されるスロット（例えば偶数スロット）が１又は複数スロット分間引かれ、残りのスロットを用いて参照信号が送信されることをいう。あるいは、参照信号の間欠送信とは、例えば、第１の周期よりも長い第２の周期で参照信号を送信することをいう。あるいは、参照信号の間欠送信とは、例えば、基地局１０が第１の送信期間よりも送信期間が短い第２の送信期間で参照信号を送信することをいう。参照信号の間欠送信が行われているセル（又は基地局）のことを、例えば、ＥＳ（Energy  Saving）モードのセル（又は基地局）と称することがある。
【００４６】
また、アクティブモードの端末５０は、例えば、基地局１０と無線区間（例えば、RRC  connection）が確立できている状態の端末である。また、アクティブモードの端末５０は、例えば、基地局１０から送信指示を受信したとき、直ちに上りリンク通信でデータを送信することもできる。
【００４７】
アイドルモードの端末５０は、例えば、基地局１０と無線区間が確立できていない状態の端末である。アイドルモードの端末５０は、例えば、ＲＲＣコネクションに関するメッセージを送信又は受信することで、基地局１０と無線区間を確立し、アクティブモードに移行することもできる。
【００４８】
また、ＤＲＸ／ＤＴＸモードの端末５０は、例えば、基地局１０との間で間欠的にデータを送信又は受信することが可能な状態にある端末のことである。ＤＲＸ／ＤＴＸモードの端末５０は、前述したように、Ｏｎ  Ｄｕｒａｔｉｏｎの期間において少なくとも１回含まれるページングオケージョンにおいて自局宛ての着信を確認する。
【００４９】
なお、端末５０は、アクティブモードでもアイドルモードでもＤＲＸ／ＤＴＸモードとして動作することができる。アクティブモードにおいてＤＲＸ／ＤＴＸモードとして動作するとき、端末５０は、例えば、無線区間は確立されており、ページングメッセージの送受信によりデータを送信又は受信することができる。また、アイドルモードにおいてＤＲＸ／ＤＴＸモードとして動作するとき、端末５０は、例えば、無線区間が確立されていないため、ＲＲＣコネクションのためのメッセージの送受信を行う。どちらの場合でも、端末５０は、Ｏｎ  Ｄｕｒａｔｉｏｎの期間において少なくとも１回含まれるページングオケージョンにおいて、自分宛ての着信を確認する。ＤＲＸ／ＤＴＸモードにおいて、Ｏｎ  Ｄｕｒａｔｉｏｎ以外の期間を例えばスリープ期間と呼ぶことがある。ＤＲＸ／ＤＴＸモードの端末５０は、スリープ期間においてページングメッセージの受信確認をしなくてよいため、全期間データや信号を受信したり送信したりする場合と比較して消費電力を削減できる。
【００５０】
なお、ＤＲＸ／ＤＴＸモードが適用されない端末５０においても、ページングオケージョンが一定のサブフレーム周期で訪れ、ページングオケージョンのタイミングにおいて自局宛ての着信を確認できる。
【００５１】
＜基地局の構成例＞
次に基地局１０の構成例を説明する。図３は基地局１０の構成例を示す図である。
【００５２】
基地局１０は、図３に示すように、アンテナ１１と、電波送受信部１２と、信号受信処理部１３と、ＵＥ監視部１４と、Ｘ２／Ｓ１メッセージ送受信処理部１６と、トラフィック監視部１７と、ＲＳ間欠判断部１８と、スケジューラ２０と、信号送信処理部２１、及び着信処理最適化計算部２２とを備える。
【００５３】
なお、第１の実施の形態において、制御部１１０は、例えば、ＵＥ監視部１４、トラフィック監視部１７、ＲＳ間欠判断部１８、スケジューラ２０、及び着信処理最適化計算部２２に対応する。また、送信部１２０は、例えば、信号送信処理部２１、電波送受信部１２、及びアンテナ１１に対応する。
【００５４】
アンテナ１１は、端末５０から送信された無線信号を受信し、又は、電波送受信部１２から出力された無線信号を端末５０に送信する。
【００５５】
電波送受信部１２は、アンテナ１１で受信した無線信号をベースバンド信号に変換して信号受信処理部１３に出力し、又は、信号送信処理部２１から出力されたベースバンド信号を無線信号に変換してアンテナ１１に出力する。電波送受信部１２は、無線信号とベースバンド信号との間の変換のために、例えば、周波数変換器、帯域通過フィルタなどを備える。
【００５６】
信号受信処理部１３は、電波送受信部１２から出力されたベースバンド信号に対して、復調処理や復号処理等を行い、データや信号を抽出する。信号受信処理部１３は、例えば、抽出したデータにＸ２／Ｓ１用メッセージが含まれるとき、当該メッセージをＸ２／Ｓ１メッセージ送受信処理部１６に出力する。また、信号受信処理部１３は、ＵＳコンテキストの情報（ＵＥのＩＤ、認証関連情報など）をＵＥ監視部１４へ出力する。ＵＥ監視部１４は、ｅＮＢ内にもつＵＥコンテキストの有無を確認する機能を担う。このＵＥコンテキストに含まれる情報は、例えば、ＵＥＩＤ（例えば端末５０の識別情報）などがあり、その一部は端末５０の電源が初めてＯＮになった後、種々の手順により送受信される。基地局１０と端末５０は、通信可能な状態になった時点（端末５０のセキュリティ認証なども完了している）でＵＥコンテキストが生成され、内部に保持する状態となる。なお、信号受信処理部１３は、例えば、抽出したメッセージや信号をトラフィック監視部１７に出力する。
【００５７】
ＵＥ監視部１４は、前述したように、基地局１０内に保持するＵＥコンテキストの有無を確認する。ＵＥ監視部１４は、例えば、基地局１０内に端末５０のＵＥコンテキストが存在すれば端末５０はアクティブ（通信可能）と判別する。一方、端末５０がアイドル状態や電源オフ状態などアクティブでない状態になると、ＵＥ監視部１４は当該端末５０のＵＥコンテキストをメモリなどから削除する。このように、ＵＥコンテキストが基地局１０内に存在すれば端末５０はアクティブであり、存在しなければ端末５０がアクティブでない状態であることを判別できる。ＵＥ監視部１４はＵＥコンテキストの有無を確認することで、端末５０がアクティブか否かを判別して、それを監視結果としてＲＳ間欠判断部１８に出力する。
【００５８】
なお、ＵＥコンテキストは、例えば、ＵＥ監視部１４内のメモリに保持されてもよいし、ＵＥ監視部１４以外の基地局１０内のメモリなどに保持されてもよい。
【００５９】
また、端末５０がアクティブ状態のとき、基地局１０と、基地局１０の上位ノードであるＭＭＥ（Mobility  Management  Entity）、及び端末５０の間で認証キーが互いに一致するか否かの確認を行うためのメッセージの送受信を行う。例えば、このメッセージの送受信により、認証キーが一致しないことをＵＥ監視部１４が確認したとき、ＵＥ監視部１４は端末５０がアクティブ状態でないことを検出することができる。あるいは、ＵＥ監視部１４は、端末５０から基地局１０との無線通信を切断することを表わすＣｏｎｎｅｃｔｉｏｎ  Ｒｅｌｅａｓｅメッセージを受信したとき、端末５０はアクティブ状態ではないことを検出することができる。あるいは、ＵＥ監視部１４は、一定期間端末５０から信号などを受信しないとき（又は信号受信処理部１３から信号などを入力しないとき）、端末５０がアクティブ状態でないこと検出することもできる。ＵＥ監視部１４は、例えば、このような方法により端末５０がアクティブ状態でないことを検出すると、当該端末５０に対するＵＥコンテキストをメモリから削除する。
【００６０】
Ｘ２／Ｓ１メッセージ送受信処理部１６は、信号受信処理部１３から出力されたメッセージに応じて、Ｘ２メッセージ又はＳ１メッセージを生成し、他の基地局（例えば隣接基地局）又は基地局１０のＭＭＥに夫々送信する。Ｘ２メッセージは、例えば、基地局間でメッセージを直接送受信するときのインタフェースに基づくメッセージであり、Ｓ１メッセージは、例えば、ＭＭＥを介して他の基地局にメッセージを送受信するときのインタフェースに基づくメッセージである。
【００６１】
また、Ｘ２／Ｓ１メッセージ送受信処理部１６は、Ｘ２又はＳ１メッセージを他の基地局又はＭＭＥから夫々受信し、基地局１０配下の端末５０に送信すべきメッセージなどがある場合、当該メッセージを信号送信処理部２１に出力する。
【００６２】
トラフィック監視部１７は、信号受信処理部１３から出力されたメッセージや信号を入力し、基地局１０が受信したデータや信号（上り通信リンク）のトラフィック量（例えば、単位時間あたりのトラフィック量）を検出する。また、トラフィック監視部１７は、信号送信処理部２１からもメッセージや信号を入力し、基地局１０から送信する下り通信リンクのトラフィック量を検出する。なお、トラフィック監視部１７は、スケジューラ２０からスケジューリング情報を入力し、これに基づいて上り又は下り通信リンクのトラフィック量を検出してもよい。トラフィック監視部１７は検出したトラフィック量をＲＳ間欠判断部１８に出力する。
【００６３】
ＲＳ間欠判断部１８は、ＵＥ監視部１４から出力された監視結果に基づいて、参照信号の間欠送信を行うか否かを判断する。例えば、ＲＳ間欠判断部１８は、監視結果により、ＵＥ監視部１４により基地局１０（ｅＮＢ）内のＵＥコンテキストが存在することが確認されたとき、参照信号の間欠送信を行わないことを決定し、スケジューラ２０に通知する。一方、ＲＳ間欠判断部１８は、例えば、監視結果により、ＵＥ監視部１４により基地局１０（ｅＮＢ）内のＵＥコンテキストが存在しないことが確認されたとき、当該セルに対して参照信号の間欠送信を行うことを決定する。この場合、ＲＳ間欠判断部１８は、参照信号の間欠送信を行うセルのセルＩＤと、参照信号の間欠送信を行うことをスケジューラ２０に通知する。ＲＳ間欠判断部１８は、例えば、トラフィック監視部１７から出力されたトラフィック量に基づいて間欠サイクルを決定してもよい。例えば、トラフィック監視部１７は、トラフィック量が第１の閾値より大きいとき、参照信号の間欠サイクルを第２の閾値より短いサイクルとし、トラフィック量が第１の閾値以下のとき、参照信号の間欠サイクルを第２の閾値と同じか長いサイクルとなるようにする。
【００６４】
スケジューラ２０は、端末５０にデータや信号を送信したり（下り通信リンク）、端末５０から送信されたデータや信号を受信したり（上り通信リンク）するとき、送信や受信に利用する無線リソースの割り当て（又はスケジューリング）を行う。
【００６５】
また、スケジューラ２０は、例えば、参照信号の間欠送信を行わない旨の通知を受けたとき、毎サブフレームごとに予め決められた無線リソースを利用して参照信号を送信するようにスケジューリングを行う。
【００６６】
さらに、スケジューラ２０は、例えば、参照信号の間欠送信を行う旨の通知とセルＩＤとを受けたとき、着信処理最適化計算部２２に対して、参照信号の間欠送信を行うセルに共通のページングオケージョンのタイミングを計算するよう指示する。スケジューラ２０は、着信処理最適化計算部２２から、ページングオケージョンのタイミングを受け取ると、当該タイミングを端末５０に送信するようスケジューリングを行う。このとき、スケジューラ２０は、ページングオケージョンのタイミングを報知情報（例えば、ＳＩＢ（System  Information  Block））として配下の端末５０にブロードキャストで送信するようスケジューリングを行う。スケジューラ２０は、スケジューリング結果をスケジューリング情報（又は制御信号）として信号送信処理部２１に出力する。なお、スケジューラ２０は、ページングオケージョンのタイミングをＳＩＢで通知する以外にも、例えば、ＲＲＣ  ｃｏｎｎｅｃｔｉｏｎ  ｒｅｃｏｎｆｉｇｕｒａｔｉｏｎメッセージとして、端末５０に個別に通知するようにしてもよい。
【００６７】
さらに、スケジューラ２０は、例えば、参照信号の間欠送信を行う旨の通知とセルＩＤとを受けたとき、セルＩＤのセルに対して、参照信号の間欠送信が行われるように参照信号に対するスケジューリングを行う。例えば、スケジューラ２０は、参照信号の間欠送信サイクルを着信処理最適化計算部２２から入力し、当該間欠サイクルに従って、参照信号の間欠送信が行われるようにスケジューリングを行う。
【００６８】
信号送信処理部２１は、Ｘ２／Ｓ１メッセージ送受信処理部１６から出力されたメッセージに対して、スケジューリング情報に従って、符号化処理や変調処理等を行い信号として送信できるよう出力する。また、信号送信処理部２１は、スケジューリング情報に従って、参照信号を生成し送信されるように出力する。
【００６９】
着信処理最適化計算部２２は、スケジューラ２０から指示を受けたとき、例えば、参照信号の間欠送信を行っているセル内に在圏する端末５０すべてに共通のページングオケージョンが行われるタイミングを計算する。そして、着信処理最適化計算部２２は、ページングオケージョンのタイミングと参照信号を送信するタイミングとが重複するように参照信号の送信タイミングを決定して、更に、参照信号の間欠送信サイクルを決定する。あるいは、着信処理最適化計算部２２は、ページングオケージョンのタイミングにおいて参照信号の間欠部分が重複しないように、参照信号の送信タイミングを決定して、参照信号の間欠送信サイクルを決定する。そして、着信処理最適化計算部２２は、ＤＲＸサイクルのＯｎ  Ｄｕｒａｔｉｏｎの期間内に少なくとも１回、ページングオケージョンが含まれるように、ＤＲＸサイクルやＯｎ  Ｄｕｒａｔｉｏｎの期間を計算する。詳細は後述する。着信処理最適化計算部２２は、計算したページングオケージョンのタイミングや、参照信号の間欠送信サイクル、ＤＲＸサイクル、及びＯｎ  Ｄｕｒａｔｉｏｎの期間をスケジューラ２０に出力する。なお、スケジューラ２０は、ＤＲＸサイクルとＯｎ  Ｄｕｒａｔｉｏｎの期間をＳＩＢまたはＲＲＣ  ｃｏｎｎｅｃｔｉｏｎ  ｒｅｃｏｎｆｉｇｕｒａｔｉｏｎメッセージとして端末５０に送信するようにスケジューリングしてもよい。
【００７０】
＜端末の構成例＞
次に端末５０の構成例を説明する。図４は端末５０の構成例を示す図である。
【００７１】
端末５０は、図４に示すように、アンテナ５１と、電波送受信部５２、信号受信処理部５３、着信モニタ部５５、及び信号送信処理部５６を備える。
【００７２】
第１の実施例において、受信部５１０は、例えば、アンテナ５１、電波送受信部５２、及び信号受信処理部５３に対応する。また、着信モニタ部５２０は、例えば、着信モニタ部５５に対応する。
【００７３】
アンテナ５１は、基地局１０から送信された無線信号を受信して電波送受信部５２に出力し、又は、電波送受信部５２から出力された無線信号を基地局１０に送信する。
【００７４】
電波送受信部５２は、アンテナ５１で受信した無線信号をベースバンド信号に変換して信号受信処理部５３に出力し、又は、信号送信処理部５６から出力されたベースバンド信号を無線信号に変換してアンテナ５１に出力する。電波送受信部５２は、無線信号とベースバンド信号との間の変換のため、例えば、周波数変換器、帯域通過フィルタなどを備える。
【００７５】
信号受信処理部５３は、スケジューリング情報に従って、ベースバンド信号に対して復調処理、復号化処理等を行い、端末５０あてに送信されたデータや信号を抽出する。また、信号受信処理部５３は、抽出したデータに、ＳＩＢ（又はＲＲＣ  ｃｏｎｎｅｃｔｉｏｎ  ｒｅｃｏｎｆｉｇｕｒａｔｉｏｎメッセージ）により受信したページングオケージョンのタイミングが含まれると、当該タイミングを着信モニタ部５５に出力する。また、信号受信処理部５３は、抽出したデータに、ＳＩＢ（又はＲＲＣ  ｃｏｎｎｅｃｔｉｏｎ  ｒｅｃｏｎｆｉｇｕｒａｔｉｏｎメッセージ）により受信した、ＤＲＸサイクルとＯｎ  Ｄｕｒａｔｉｏｎの期間とを抽出すると、ＤＲＸサイクルとＯｎ  Ｄｕｒａｔｉｏｎ期間とを着信モニタ部５５に出力する。
【００７６】
着信モニタ部５５は、信号処理部５３から出力されたページングオケージョンのタイミングとＤＲＸサイクル、及びＯｎ  Ｄｕｒａｔｉｏｎの期間を入力すると、Ｏｎ  Ｄｕｒａｔｉｏｎ期間内のページングオケージョンにおいて、自局宛ての着信を監視する。この場合、端末５０においてページングオケージョンが行われるタイミングは、参照信号の間欠送信が行われていたとしても、参照信号を受信するタイミングと重複しているため、参照信号を受信することができ、基地局１０と同期することができる。詳細は後述する。
【００７７】
信号送信処理部５６は、スケジューリング情報に従って、他の処理部からのメッセージに対して変調処理や符号化処理などの信号処理を行い、ベースバンド信号に変換する。信号送信処理部５６は、ベースバンド信号を電波送受信部５２に出力する。なお、スケジューリング情報は、信号受信処理部５３を介して信号送信処理部５６に入力される。
【００７８】
＜動作例＞
次に無線通信システム１の動作例を説明する。図５は基地局１０における動作例、図１０は端末５０の動作例を夫々示す。最初に基地局１０の動作例を説明し、次に端末５０の動作例を説明する。
【００７９】
＜基地局１０の動作例＞
図５は基地局１０の動作例を示すフローチャートである。基地局１０は、処理を開始すると（Ｓ１０）、最初は通常ＲＳ送信モードにより参照信号を送信する（Ｓ１１）。通常ＲＳ送信モードとは、例えば、参照信号の間欠送信が行われず、参照信号がサブフレーム毎に送信されるモードのことである。前述した図１４（Ｂ）は、例えば、通常ＲＳ送信モードで参照信号が送信される場合の例を示している。例えば、ＲＳ間欠判断部１８が通常ＲＳ送信モードであることを決定し、当該決定をスケジューラ２０に通知する。スケジューラ２０は、例えば、当該通知に基づいて、参照信号のスケジューリングを行う。これにより、参照信号が通常ＲＳ送信モードで送信される。
【００８０】
次いで、基地局１０はＵＥコンテキストとトラフィック量を監視する（Ｓ１２，Ｓ１３）。例えば、ＵＥ監視部１４がセル内の各端末（ＵＥ）５０に対するＵＥコンテキストの有無を監視し、トラフィック監視部１７はセル内のトラフィック量（例えば下り通信リンクのトラフィック量）を監視する。尚、２つの処理はどちらか一方が先に行われてもよく、処理の順番は問わない。基地局１０は、複数のセルを有する場合、各セル毎に各端末（ＵＥ）５０に対するＵＥコンテキストとトラフィック量を監視することができる。ＵＥ監視部１４は監視結果を、トラフィック監視部１７はトラフィック量を夫々ＲＳ間欠判断部１８に出力する。
【００８１】
次いで、基地局１０は、ＵＥコンテキストの存在しないセルがあるか否かを判別する（Ｓ１１４）。例えば、ＵＥ監視部１４が基地局１０配下の各セルにおいてＵＥコンテキストが存在しないセルがあるか否かを監視することで判別される。  
【００８２】
基地局１０は、ＵＥコンテキストが存在すれば（Ｓ１４でＮＯ）、当該セルについては通常ＲＳ送信モードを継続する（Ｓ１１）。例えば、ＲＳ間欠判断部１８は、ＵＥ監視部１４からあるセルにおいてＵＥコンテキスト有りの監視結果を受けたとき、当該セルに対して通常ＲＳ送信モードとして動作するようスケジューラ２０に通知する。これにより、通常ＲＳ送信モードが継続する。
【００８３】
一方、基地局１０は、あるセル内にＵＥコンテキストが存在しないとき（Ｓ１４でＹＥＳ）、参照信号の間欠送信を行うことを決定し、参照信号の間欠送信を行うセルに共通のページングオケージョンのタイミングを計算する（Ｓ１５）。ページングオケージョンのタイミングの計算については、例えば、以下の式を用いる。
【００８４】
PF=SFN  mod  T=(T  div  N)*(α  mod  N)    ・・・（３）
i_s=floor(α/N)  mod  Ns    ・・・（４）  
基地局１０は、例えば、式（３）を用いてページングフレームの無線フレーム番号を特定する。また、基地局１０は、式（４）を用いて得られた値i_sに対応するサブフレーム番号をテーブルから抽出することで、当該無線フレーム内において、ページングオケージョンが行われるサブフレーム番号を特定する。図６（Ｅ）はテーブルの例を示す図である。式（４）の「Ｎｓ」と「ｉ＿ｓ」に対応するテーブル内の値がサブフレーム番号を示す。
【００８５】
ここで、式（３）と式（４）について、上述した式（１）と式（２）とを比較すると、端末５０毎に異なるＵＥ＿ＩＤが用いられず、固定値αが用いられている。この計算により得られたページングオケージョンのタイミングをＳＩＢで送信することで、例えば、ページングオケージョンのタイミングは端末５０毎に異なるタイミングではなく、ＳＩＢで送信したセル内に共通のタイミングとなる。図６（Ｃ）は端末５０毎に異なるページングオケージョンのタイミング例、図６（Ｄ）はセル内に共通のページングオケージョンのタイミング例を夫々示す図である。例えば、このような計算は着信処理最適化計算部２２で行われ、テーブルも着信処理最適化計算部２２にて保持する。
【００８６】
図７（Ｃ）はページングオケージョンのタイミング例を示す図である。この例では、ページングオケージョンのタイミングは、ページングフレーム内のサブフレーム番号「３」、「８」となる。基地局１０が端末５０に送信するページングオケージョンのタイミングとは、例えば、ページングフレームの無線フレームの番号と、当該ページングフレーム内のサブフレーム番号である。基地局１０は、例えば、これら２つの番号をページングオケージョンのタイミングとして送信することで、端末５０はページングフレームとサブフレームの各タイミングを特定できる。
【００８７】
図５に戻り、次いで基地局１０は、決定したページングオケージョンが行われるタイミングと重複するように、参照信号を送信するタイミングを決定する（Ｓ１６）。図７（Ａ）は参照信号の送信タイミング例を示す図である。この例では、基地局１０は、ページングオケージョンが行われるサブフレーム番号「３」において、参照信号が間欠しているタイミングと重複しないように、すなわち、サブフレーム番号「３」において参照信号が送信されるように送信タイミングを決定する。サブフレーム番号「８」においても、参照信号が送信されるように参照信号の送信タイミングを決定する。これにより、例えば図６（Ａ）及び図６（Ｂ）に示すように、端末５０はページングオケージョンを行うタイミングにおいて、参照信号を受信することができる。なお、基地局１０は、決定した送信タイミングに基づいて、参照信号の間欠送信サイクルを決定することができる。Ｓ１６の処理は、例えば、着信処理最適化計算部２２が行う。
【００８８】
次いで、基地局１０は、ＤＲＸサイクルとＯｎ  Ｄｕｒａｔｉｏｎの期間を計算し、決定する（Ｓ１７）。例えば、着信処理最適化計算部２２は、Ｓ１５で決定したページングオケージョンのタイミングが、Ｏｎ  Ｄｕｒａｔｉｏｎの期間内に少なくとも１回含まれるように、Ｏｎ  Ｄｕｒａｔｉｏｎの期間を決定する。ＤＲＸサイクルとＯｎ  Ｄｕｒａｔｉｏｎの期間の計算などは、例えば、３ＧＰＰ  ＴＳ  ３６．２１１  Ｖ８．９．０などを参照されたい。
【００８９】
次いで、基地局１０はページングオケージョンのタイミングを報知情報（例えばＳＩＢ）として端末５０に通知する（Ｓ１８）。例えば、スケジューラ２０は、ＳＩＢとして送信すべき無線リソースにおいて、ページングオケージョンのタイミングを送信するようにスケジューリングする。更に、例えば、スケジューラ２０は決定したＤＲＸサイクルとＯｎ  Ｄｕｒａｔｉｏｎの期間（Ｓ１７）を、ＳＩＢ又はＲＲＣ  ｃｏｎｎｅｃｔｉｏｎ  ｒｅｃｏｎｆｉｇｕｒａｔｉｏｎメッセージにより、端末５０に送信するようスケジューリングする。更に、例えば、スケジューラ２０は、参照信号の間欠送信を行うセルのセルＩＤと、参照信号の間欠送信サイクルとを、ＳＩＢにより送信するようスケジューリングする。  
【００９０】
図８（Ａ）は、参照信号の間欠送信サイクルに対する送信方法の例を示す図である。例えば、図８（Ａ）に示すように、基地局１０配下に複数のセルがある場合、全セルにおいて参照信号の間欠送信が行われる場合に基地局１０は配下の全セル（セル＃１〜セル＃３）に対して間欠送信サイクルを通知する。例えば、基地局１０は配下のセルのうち、一部のセル（例えばセル＃２）が参照信号の間欠送信を行うときでも、配下の全セルに対してＳＩＢにより通知することができる。この場合、基地局１０は、間欠送信を行うセルのセルＩＤを間欠送信サイクルとともにＳＩＢで通知することができる。これにより、例えば、端末５０は自セルで参照信号の間欠送信が行われているか、自セルに隣接するセルにおいて参照信号の間欠送信が行われているかの情報を得ることができる。隣接セルにおいて参照信号の間欠送信が行われるとき、端末５０は例えばハンドオーバにより移動する移動先のセルにおいて間欠送信が行われることを把握することもできる。基地局１０は、例えば、参照信号の間欠送信を行っているセルに対してのみ、間欠送信サイクルを通知することもできる。
【００９１】
図８（Ｂ）は、基地局間で参照信号の間欠送信サイクルを通知する場合の例を示す図である。同図（Ｂ）に示すように、基地局１０‐１が配下のセルにおいて参照信号の間欠送信を行うとき、当該基地局１０‐１は他の基地局（周辺基地局又は隣接基地局）１０‐２〜１０‐３に間欠サイクルを通知することもできる。
【００９２】
他の基地局への通知は、例えば、図９に示すようなシーケンス例に従って行うこともできる。基地局１０‐１は、参照信号の間欠サイクルを、Ｘ２メッセージでもある「eNB  configuration  update」メッセージにより他の基地局１０‐２，１０‐３に送信する（Ｓ３０）。これを受信した基地局１０‐２，１０‐３は夫々、「eNB  configuration  update  ack」メッセージを基地局１０‐１に送信することで応答メッセージを送信する（Ｓ３１）。かかるシーケンスは、例えば、各基地局１０‐１〜１０‐３のＸ２／Ｓ１メッセージ送受信処理部１６で行うことができる。なお、かかるシーケンス例は、例えば、3GPP  TS  36  300  V8  12.0  (2010-03)のTable  20.2.2-1、又は3GPP  TS  36.423  V8.9.0  (2010-03)の8.3.5章、9.1.2.8章も参照されたい。  
【００９３】
図５に戻り、次いで、基地局１０は参照信号の間欠送信を開始し、ＲＳ間欠送信モードとして動作する（Ｓ１９）。例えば、スケジューラ２０は、ＲＳ間欠判断部１８又は着信処理最適化計算部２２から通知されたセルＩＤのセルに対して、ＲＳ間欠送信モードとして参照信号を送信するようにスケジューリングを行い、スケジューリング情報を信号送信処理部２１に出力する。信号送信処理部２１は、スケジューリング情報に従って、参照信号を生成して、参照信号を電波送受信部１２とアンテナ１１を介して送信する。これにより、当該セルにおいて参照信号の間欠送信が行われる。
【００９４】
次いで、基地局１０は、参照信号の間欠送信を行っていることを他の基地局（周辺基地局又は隣接基地局）に通知する（Ｓ２０）。前述したように、基地局１０は「eNB  configuration  update」メッセージなどにより他の基地局に通知する。例えば、Ｘ２／Ｓ１メッセージ送受信処理部１６は、参照信号の間欠送信サイクルとともに、参照信号の間欠送信を行う基地局１０やセルのＩＤをＸ２メッセージ又はＳ１メッセージに含めて送信することもできる。
【００９５】
尚、基地局１０は、Ｓ２０の処理を先に行い、次いでＳ１９の処理を行うようにしてもよい。また、Ｓ１５からＳ１７の順番を入れ替えて、先にＤＲＸサイクルとＯｎ  Ｄｕｒａｔｉｏｎの期間を決定し（Ｓ１７）、次にページングオケージョンのタイミングを計算し（Ｓ１５）、更に、参照信号の送信タイミングを決定するようにしてもよい（Ｓ１６）。
【００９６】
そして、基地局１０は一連の処理を終了する（Ｓ２１）。
【００９７】
＜端末５０の動作例＞
次に端末５０の動作例について説明する。図１０は端末５０の動作例を示すフローチャートである。  
【００９８】
端末５０は、処理を開始すると（Ｓ４０）、最初は通常モードとして動作する（Ｓ４１）。通常モードは、例えば、端末５０が参照信号を毎サブフレーム受信するモードのことである。本動作は、基地局１０の通常ＲＳ送信モード（Ｓ１１）に対応する動作である。
【００９９】
次いで、端末５０は、ＳＩＢ（又はＲＲＣ  ｃｏｎｎｅｃｔｉｏｎ  ｒｅｃｏｎｆｉｇｕｒａｔｉｏｎメッセージ）により、ページングオケージョンのタイミングを受信する（Ｓ４２）。例えば、信号受信処理部５３がページングオケージョンのタイミングを受信し、着信モニタ部５５に通知する。着信モニタ部５５は、例えば、通知されたページングオケージョンのタイミングで、基地局１０から間欠送信される参照信号を受信するよう信号受信処理部５３に指示する。
【０１００】
なお、端末５０は、ＳＩＢなどにより、ＤＲＸサイクルとＯｎ  Ｄｕｒａｔｉｏｎ期間とを基地局１０から通知される。かかる場合、端末５０は、ＤＲＸ／ＤＴＸモードとして動作することになる。この場合、端末５０はＯｎ  Ｄｕｒａｔｉｏｎ期間でアクティブとなり、当該期間内で少なくとも１回存在するようにページングオケージョンにおいて、参照信号を受信する。例えば、着信モニタ部５５は、Ｏｎ  Ｄｕｒａｔｉｏｎ期間でアクティブとなるように、信号受信処理部５３に指示する。
【０１０１】
次いで、端末５０は、間欠送信される参照信号を受信する（Ｓ４３）。例えば、信号受信処理部５３は、ページングオケージョンのタイミングにおいて、間欠送信された参照信号を受信できる。ページングオケージョンのタイミングは、間欠送信で送信される参照信号の送信タイミングと重複しているためである。信号受信処理部５３は、受信した参照信号を各部に出力したり、参照信号に同期したタイミングで各部が動作するように各部を制御したりすることもできる。
【０１０２】
次いで、端末５０は、ページングオケージョンのタイミングにおいて着信をモニタリングする（Ｓ４４）。例えば、信号受信処理部５３は、ページングオケージョンのタイミングにおいて、ＰＤＣＣＨをモニタし、ＰＣＨで送信されるＰ‐ＲＮＴＩを受信する。そして、信号受信処理部５３は、自局宛てのＰ‐ＲＮＴＩのとき、ページングメッセージを受信する。その後、端末５０は、ＤＲＸ／ＤＴＸモードを終了して、ページングメッセージに対する応答メッセージを基地局１０に送信して呼接続し、信号受信処理部５３は自局宛ての着信メッセージを受信する。
【０１０３】
そして、端末５０は一連の処理を終了する（Ｓ４５）。
【０１０４】
このように本実施例において、基地局１０は、ページングオケージョンのタイミングを端末個別の値ではなく、例えば参照信号の間欠送信を行うセルに共通の固有値に基づいて計算している。これにより、参照信号の間欠送信が行われているセル内の全ての端末５０は、全て共通のタイミングでページングオケージョンを行うことができる。
【０１０５】
また、このページングオケージョンのタイミングと、参照信号の間欠送信が行われる場合の参照信号の送信タイミングとが重複しているため、参照信号の間欠送信が行われていても、端末５０はページングオケージョンにおいて参照信号を受信することができる。よって、基地局１０が参照信号を間欠送信しているときでも、端末５０は参照信号により基地局１０と同期することができ、着信を確認することができる。
【０１０６】
更に、基地局１０はＯｎ  Ｄｕｒａｔｉｏｎ期間内に少なくとも１回、ページングオケージョンが行われるようにＤＲＸサイクルやＯｎ  Ｄｕｒａｔｉｏｎの期間を計算する。従って、端末５０は、ＤＲＸ／ＤＴＸモードのときでも、参照信号を受信して、着信を確認することができる。
【０１０７】
［その他の実施の形態］
上述した第２の実施の形態は、端末５０がＤＲＸ／ＤＴＸモードで動作するものとして説明した。例えば、ＤＲＸ／ＤＴＸモードが適用されない端末５０の場合（例えば、アクティブモードの場合）でも上述した第２の実施の形態を実施することができる。ページングオケージョンは、ＤＲＸ／ＤＴＸモードの適用、非適用に拘わらず、端末５０においても行われるからである。図１１は、通常モードにおける受信タイミング例等を示す図である。上述したように、ＤＲＸ／ＤＴＸが適用されない端末５０は、一定のサブフレーム周期でページングオケージョンが行われる。このような場合でも、ページングオケージョンのタイミングは第２の実施の形態と同様に、式（３）及び式（４）を用いて計算され、参照信号の送信タイミングと重複するように参照信号の間欠送信サイクルを決定する。ただし、基地局１０はＤＲＸサイクルとＯｎ  Ｄｕｒａｔｉｏｎの期間を計算して端末５０に送信しなくてもよいため、例えば図５の例においてＳ１７の処理を行わなくてもよい。
【０１０８】
また、上述した第２の実施の形態は、例えば、図７（Ａ）から図７（Ｃ）に示すように、ページングオケージョンの開始タイミングと参照信号の送信開始タイミングとが一致する例を説明した。ページングオケージョンのタイミングと参照信号の送信タイミングとが重複していればよいため、両者の開始タイミングが一致しなくてもよい。図１２（Ａ）と図１２（Ｂ）は、参照信号の送信タイミングとページングオケージョンのタイミングの例を夫々示す図である。参照信号は「３」番目のサブフレームのときに送信され、ページングオケージョンは「２」から「３」番目のサブフレーム期間行われる。ページングオケージョンが行われるタイミングに、参照信号の送信タイミングが含まれている例となっている。
【符号の説明】
【０１０９】
１：無線通信システム                  
１０（１０‐１〜１０‐３）：無線基地局装置（基地局）
１３：信号受信処理部                  １４：ＵＥ監視部
１６：Ｘ２／Ｓ１メッセージ送受信処理部
１７：トラフィック監視部              １８：ＲＳ間欠判断部
２０：スケジューラ                    ２１：信号送信処理部
２２：着信処理最適化計算部            
５０（５０‐１〜５０‐４）：端末装置（端末）
５３：信号受信処理部                  ５５：着信モニタ部
１１０：制御部                        １２０：送信部
５１０：受信部                        ５２０：着信モニタ部
【図１】
2012101754.tif 000003
【図２】
2012101754.tif 000004
【図３】
2012101754.tif 000005
【図４】
2012101754.tif 000006
【図５】
2012101754.tif 000007
【図６】
2012101754.tif 000008
【図７】
2012101754.tif 000009
【図８】
2012101754.tif 000010
【図９】
2012101754.tif 000011
【図１０】
2012101754.tif 000012
【図１１】
2012101754.tif 000013
【図１２】
2012101754.tif 000014
【図１３】
2012101754.tif 000015
【図１４】
2012101754.tif 000016
【図１５】
2012101754.tif 000017
【図１６】
2012101754.tif 000018
【図１７】
2012101754.tif 000019
【手続補正書】
【提出日】平成25年8月5日(2013.8.5)
【手続補正１】
【補正対象書類名】特許請求の範囲
【補正対象項目名】全文
【補正方法】変更
【補正の内容】
【特許請求の範囲】
【請求項１】
端末装置と無線通信を行う無線基地局装置において、
前記無線基地局装置が第１の送信期間よりも送信期間が短い第２の送信期間で参照信号を間欠送信するとき、前記端末装置において自局宛ての着信を確認する第１のタイミングと前記参照信号を送信する第２のタイミングとを重複させる制御部と、
前記第２のタイミングと重複する前記第１のタイミングを前記端末装置に送信する送信部と、
を備えることを特徴とする無線基地局装置。
【請求項２】
前記制御部は、前記端末装置において第１の周期で間欠受信又は間欠送信が行われるとき、前記第１の周期のアクティブ期間内において、前記第２のタイミングと重複する前記第１のタイミングが含まれるように、前記第１の周期と前記アクティブ期間を決定し、
前記送信部は、前記決定した第１の周期とアクティブ期間とを前記端末装置に送信することを特徴とする請求項１記載の無線基地局装置。
【請求項３】
前記制御部は、前記第１のタイミングを決定し、前記決定した第１のタイミングと重複するように前記第２のタイミングを決定することで前記第１のタイミングと前記第２のタイミングとを重複させることを特徴とする請求項１記載の無線基地局装置。
【請求項４】
前記制御部は、前記参照信号を間欠送信するセルに在圏する全ての前記端末装置に対して、共通のタイミングで前記参照信号を送信するように前記第１のタイミングを決定することを特徴とする請求項３記載の無線基地局装置。
【請求項５】
前記制御部は、前記端末装置毎に異なる値に代えて固有値を用いて前記第１のタイミングを計算して、前記第１のタイミングを決定することを特徴とする請求項３記載の無線基地局装置。
【請求項６】
前記送信部は、前記参照信号を間欠送信するとき、前記第２のタイミングで前記参照信号を送信することを特徴とする請求項１記載の無線基地局装置。
【請求項７】
前記制御部は、前記端末装置との間で送信及び受信する信号のトラフィック量に基づいて、前記参照信号の間欠送信サイクルを決定することを特徴とする請求項１記載の無線基地局装置。
【請求項８】
端末装置と無線基地局装置とを備え、
前記端末装置と前記無線基地局装置との間で無線通信が行われる無線通信システムにおいて、
前記無線基地局装置は、
前記無線基地局装置が第１の送信期間よりも送信期間が短い第２の送信期間で参照信号を間欠送信するとき、前記端末装置において自局宛ての着信を確認する第１のタイミングと前記参照信号を送信する第２のタイミングとを重複させる制御部と、
前記第２のタイミングと重複する前記第１のタイミングを前記端末装置に送信する送信部とを備え、
前記端末装置は、
前記無線基地局装置から送信された第１のタイミングを受信する受信部と、
受信した前記第１のタイミングで、間欠送信される前記参照信号を受信するよう前記受信部に指示する着信モニタ部とを備えることを特徴とする無線通信システム。
【請求項９】
端末装置と無線通信を行う無線基地局装置における無線通信方法であって、
前記無線基地局装置が第１の送信期間よりも送信期間が短い第２の送信期間で参照信号を間欠送信するとき、前記端末装置において自局宛ての着信を確認する第１のタイミングと前記参照信号を送信する第２のタイミングとを重複させ、
前記第２のタイミングと重複する前記第１のタイミングを前記端末装置に送信する、
ことを特徴とする無線通信方法。
【請求項１０】
無線基地局装置と無線通信を行う端末装置において、
前記無線基地局装置が第１の送信期間よりも送信期間が短い第２の送信期間で参照信号を間欠送信するとき、前記参照信号を送信する第２のタイミングと重複する、自局宛ての着信を確認する第１のタイミングを受信する受信部と、
前記受信した第１のタイミングで、間欠送信される前記参照信号を受信するよう前記受信部に指示する着信モニタ部と、
を備えることを特徴とする端末装置。
【国際調査報告】
2012101754.tif 000020
2012101754.tif 000021